(57)【要約】【課題】ワンセグエリア放送において、エリア放送局がワンセグコンテンツを自動送出してワンセグエリア放送する。【解決手段】エリア放送局に、放送前のコンテンツのＴＳを保存するサーバを有し、親放送局にコンテンツと放送運行データを保存するサーバを有する。エリア放送局サーバは、定期的に親放送局のサーバを監視し、自局の放送運行データに更新があった場合、親放送局のサーバからＦＴＰで放送運行データをダウンロードし、放送運行データに記載されている素材ＩＤに該当するコンテンツを親放送局のサーバからダウンロードし、放送運行データに従って該当時間になったら該当する素材コンテンツを自動送出し、エリア放送局の放送運行データである放送時刻と放送する素材ＩＤとに存在しない素材ＩＤの過去に放送した素材を削除する。【選択図】図１
2011103627.tif 000002
【特許請求の範囲】
【請求項１】
少なくとも一つ以上のエリア放送局に放送前のワンセグコンテンツ用のTransport
Streamを保存するサーバを有し、親放送局に全てのコンテンツと上記エリア放送局の放送運行データである放送時刻と放送する素材ＩＤとを保存しておくサーバを有し、
各エリア放送局サーバは定期的にInternet Protocol Network経由で親放送局のサーバ内を監視し、自局の放送運行データに更新があった場合、親放送局のサーバからFile Transfer Protocolで放送運行データをダウンロードし、該放送運行データに記載されている素材ＩＤに該当するワンセグコンテンツ用のＴＳを、親放送局のサーバからＩＰ網経由でダウンロードし、
上記エリア放送局のサーバは、上記エリア放送局の放送運行データである放送時刻と放送する素材ＩＤとに従って該当時間になったら、上記エリア放送局の放送運行データに記載されている素材ＩＤに該当するワンセグコンテンツ用のＴＳを自動送出し、上記エリア放送局の放送運行データに存在しない素材ＩＤのワンセグコンテンツ用の過去に放送したＴＳを削除することを特徴とする放送送出システム。
【発明の詳細な説明】
【技術分野】
【０００１】
本発明は、デジタル放送における送出システムに関するものである。
【背景技術】
【０００２】
地上デジタル放送は、ビル内、地下街、地下鉄等の電波遮蔽空間にも伝送され、あらゆる場所で地上デジタル放送が受信可能となる。そこで、携帯電話・移動体端末向けの1セグメント部分受信サービス（以下ワンセグ）放送が普及してきた。行政単位等の狭い地域（エリア）向けワンセグ（以下ワンセグエリア）放送が実験中である。
【０００３】
放送局は、放送番組を制作しプログラム（番組表）に沿って電気信号として順次出力する演奏所と、それを電波として送信する送信所に分かれる。
【０００４】
従来、ワンセグエリア放送するために、Virtual-Private-Network(ＶＰＮ)等のInternet-Protocol-Network（ＩＰ網）を常に占有し、親放送局からエリア放送局にＶＰＮ等のFile-Transfer-Protocol（ＦＴＰ）でリアルタイムにTransport-Stream（ＴＳ）データを送り込み、エリア放送局で放送していた。ローカル放送エリア各拠点が増えると必要とするＩＰ網の帯域も増えた。または、ローカル放送エリア各拠点にローカルサーバを置き、事前にローカルサーバに登録しておいたコンテンツをループ再生させて放送していた。
【先行技術文献】
【特許文献】
【０００５】
【特許文献１】特許公開２００６−１０１２７８
【発明の概要】
【発明が解決しようとする課題】
【０００６】
ワンセグエリア放送において、エリア放送局がワンセグコンテンツを自動送出してワンセグエリア放送する。
【課題を解決するための手段】
【０００７】
本発明は、上記の目的を達成するために、少なくとも一つ以上のエリア放送局に放送前のワンセグコンテンツ用のTransport Stream（ＴＳ）を保存するサーバを有し、親放送局に全てのコンテンツと上記エリア放送局の放送運行データである放送時刻と放送する素材ＩＤとを保存しておくサーバを有し、各エリア放送局サーバは定期的にInternet Protocol Network（ＩＰ網）経由で親放送局のサーバ内を監視し、自局の放送運行データに更新があった場合、親放送局のサーバからFile Transfer Protocol（ＦＴＰ）で放送運行データをダウンロードし、該放送運行データに記載されている素材ＩＤに該当するワンセグコンテンツ用のＴＳを、親放送局のサーバからＩＰ網経由でダウンロードし、上記エリア放送局のサーバは、上記エリア放送局の放送運行データである放送時刻と放送する素材ＩＤに従って該当時間になったら、上記エリア放送局の放送運行データに記載されている素材ＩＤに該当するワンセグコンテンツ用のＴＳを自動送出し、上記エリア放送局の放送運行データである放送時刻と放送する素材ＩＤに存在しない素材ＩＤのワンセグコンテンツ用の過去に放送したＴＳを削除することを特徴とする放送送出システムである。
【発明の効果】
【０００８】
以上説明したように本発明によれば、ワンセグエリア放送において、エリア放送局にあるサーバが放送運行データ及び、ワンセグコンテンツ用のＴＳを親放送局サーバからダウンロードして、放送運行データに従って、ワンセグコンテンツ用のＴＳを自動送出し、過去に放送したＴＳを削除する。
【図面の簡単な説明】
【０００９】
【図１】本発明の一実施例の放送送出システムを示すブロック図
【図２】本発明の一実施例の放送運行データを示す模式図
【発明を実施するための形態】
【実施例１】
【００１０】
本発明の実施例を本発明の一実施例の放送送出システムを示すブロック図の図１と本発明の一実施例の放送運行データを示す模式図の図２を用いて説明する。
【００１１】
本発明の一実施例の放送送出システムを示すブロック図の図１の１０２は親放送局に設置されたサーバである。このサーバには、各拠点局に配信する放送運行データの１２と１３とワンセグコンテンツ用のＴＳの１１が保存されている。１０１は親放送局に設置された放送運行データ作成端末である。この放送運行データ作成端末の１０１で、事前に各エリア放送局の放送運行データの１２と１３とを作成して、１０２親放送局サーバに保存する。放送運行データの１２と１３には、本発明の一実施例の放送運行データを示す模式図の図２の様に、エリア放送局で放送する一日分の放送時刻と放送する素材ＩＤが記述されている。
【００１２】
エリア放送局１の２０１エリア放送局サーバは、１０２親放送局サーバとＶＰＮで接続されている。２０１エリア放送局サーバは定期的に１０２親放送局サーバ内の自局用の放送運行データの１２を監視し、変更があった場合はFile Transfer Protocol（ＦＴＰ）でダウンロードし、放送運行データ２０として保存する。２０１エリア放送局サーバは、ダウンロードした放送運行データ２０を開いて、放送運行データ２０に記述されている素材ＩＤのワンセグコンテンツ用のＴＳの２１を事前にＦＴＰで１０２親放送局サーバからダウンロードして保存しておく。
【００１３】
なお、同様にエリア放送局２の３０１エリア放送局サーバは、１０２親放送局サーバ内の自局用の放送運行データの１３を監視し、変更があった場合、ＦＴＰでダウンロードし、放送運行データ３０として保存し、該当するワンセグコンテンツ用のＴＳの３１を事前にＦＴＰで１０２親放送局サーバからダウンロードして保存しておく。
エリア放送局サーバの２０１と３０１は２０と３０の放送運行データに従って、該当時刻になったら、保存されている映像コンテンツを２０２と３０２の送信機からアンテナの２０３と３０３を経由して放送する。
【００１４】
以上説明したように本発明によれば、ワンセグエリア放送において、エリア放送局にあるサーバが自局の放送運行データ及び、ワンセグコンテンツ用のＴＳを親放送局サーバからダウンロードして、放送運行データに従って、ワンセグコンテンツを自動送出し、ワンセグエリア放送する。
【００１５】
また、親放送局からのワンセグコンテンツ用のＴＳとエリア放送局の放送運行データのダウンロード指示と、ワンセグコンテンツ用のＴＳの削除指示は不要となる。
【符号の説明】
【００１６】
１２，１３，２０，３０：放送運行データ、
１１，２１，３１：ワンセグコンテンツ用のＴＳ、
１０１：放送運行データ作成端末、
１０２：親放送局サーバ、２０１，３０１：エリア放送局サーバ、
２０２，３０２：送信機、２０３，３０３：アンテナ、
【図１】
2011103627.tif 000003
【図２】
2011103627.tif 000004